(57)【要約】      （修正有）【課題】床固定装置の外面に尖鋭な凸起物等がなく、しかも脚に水平方向の大きな外力が作用することがあっても一対の脚の脚間距離に変化を生じさせない十分な強度、剛性を備えた床固定装置を提供する。【解決手段】一対の脚Ｌｇにおける夫々のアジャスタＡｊに被さる断面が略逆凹状をなし且つアジャスタＡｊと脚Ｌｇを結合しているアジャスタ軸Ａｓを挿入できる切欠状の軸挿入部２ｆが逆凹状の上面２ａに形成されたアジャスタ押え部２と、一対の脚Ｌｇの距離に見合う長さを有し両端部にアジャスタ押え部２を一体に備えて床に固定される床固定ベース１と、アジャスタ押え部２を含む床固定ベース１に被せて固定される部材であって断面が略逆凹状をなし且つ軸挿入部２ｆと交差する向きの軸挿入用の切欠４ｄを備えるアジャスタ軸Ａｓを拘束する軸拘束部材４とを少なくとも備える。【選択図】図１４
2019122716.tif 000002
【特許請求の範囲】
【請求項１】
下部にアジャスタを備える柱状の脚を有する家具の前後又は左右で一対の脚を一体的に床に固定する家具の脚の床固定装置であって、
前記床固定装置は、
前記一対の脚における夫々のアジャスタに被さる断面が略逆凹状をなし且つ前記アジャスタと脚を結合しているアジャスタ軸を挿入できる切欠状の軸挿入部が前記逆凹状の上面に形成されたアジャスタ押え部と、
前記一対の脚の距離に見合う長さを有し両端部に前記アジャスタ押え部を一体に備えて床に固定される床固定ベースと、
前記アジャスタ押え部を含む床固定ベースに被せて固定される部材であって断面が略逆凹状なし且つ前記軸挿入部と交差する向きの軸挿入用の切欠を備える前記アジャスタ軸を拘束する軸拘束部材と
を少なくとも備えていることを特徴とする床固定装置。
【請求項２】
床固定ベースは、断面が略凹状である請求項１の床固定装置。
【請求項３】
アジャスタ押え部の軸挿入部と該アジャスタ押え部に被せた軸拘束部材の切欠によって前記アジャスタ軸が略当接して固定される請求項1又は２の床固定装置。
【請求項４】
アジャスタ押え部の上面壁と立壁および前記アジャスタ押え部に被せた軸拘束部材の上面壁と立壁は、下面側が開放された2重壁の下向き箱状を形成する請求項１〜３のいずれかの床固定装置。
【請求項５】
一対のアジャスタ押え部に夫々に被せられる左右のアジャスタにおける軸拘束部材は、その２つでアジャスタ押え部と床固定ベースの全長に被さる長さを有するか、又は２つの中間に断面絡逆凹状の中間部材を介在させて前記アジャスタ押え部を含む床固定ベースの全長に被さる請求項１〜４のいずれかの床固定装置。
【請求項６】
家具は実験台又は作業台であって夫々に駆動力によって伸縮する４本の脚を備える請求項５の床固定装置。
【発明の詳細な説明】
【技術分野】
【０００１】
本発明は脚を有する家具の床固定装置に関する。
【背景技術】
【０００２】
家具の床固定装置としては、従来から転倒防止や移動防止を主な目的として、家具の脚下端部（アジャスタを含む。以下、同じ）を固定金具等によって前記家具が設置されている床に固定することが、特許文献１を始めとして数多く提案されている。
【０００３】
従来の床固定装置には、個々の脚下端部を個々に固定金具等で床に固定する手法のもの（特許文献１〜３参照）と、前後（又は左右）の一対の脚の下端部を一つの固定手段で床に固定する手法のもの（特許文献４〜７参照）がある。
【０００４】
上記従来の床固定装置において、個々の脚下端部ごとに固定金具等で床に固定する手法のもの（特許文献１から３）は、例えば、独立した４本脚を備えた作業台のような家具では、水平方向の外力が脚に作用すると、隣合う脚下端部間の距離に変化が生じて、例えば天板表面の水平度が維持できなくなる場合がある。
【０００５】
これに対し、前後、又は左右で一対の脚下端部を一つの固定手段で床に固定するようにした床固定装置（特許文献４〜７）では、平常時に隣り合う脚下端部間の距離を一定に維持できるが、水平方向の外力に対する強度や剛性が、構造上十分でないと、脚下端部間の距離が変動してしまう恐れがある。従来の床固定装置は、上記問題点のほか床固定装置の外面にその構成部材による凹凸が露出しているので、歩行等の邪魔になると共に見映えも優れないという難点がある。
【先行技術文献】
【特許文献】
【０００６】
【特許文献１】特開平１１−３１５８１１号公報
【特許文献２】特許第３６０３７０７号公報
【特許文献３】特許第５１０７３１１号公報
【特許文献４】特開平９−２０１２４５号公報
【特許文献５】特開平１１−２４４０７６号公報
【特許文献６】実公平１−１６４３８号公報
【特許文献７】実公昭４８−４０８６０号公報
【発明の概要】
【発明が解決しようとする課題】
【０００７】
本発明は、例えば作業台のように４本の脚を有する家具における個々の脚や一対の脚を床に固定する従来の床固定装置の問題点に鑑み、床固定装置の外面に尖鋭な凸起物等がなく、しかも脚に水平方向の大きな外力が作用することがあっても一対の脚の脚間距離に変化を生じさせない十分な強度、剛性を備えた床固定装置を提供することを課題とする。
【課題を解決するための手段】
【０００８】
上記課題を解決することを目的としてなされた本発明床固定装置の構成は、下部にアジャスタを備える柱状の脚を有する家具における前後又は左右で一対の脚を一体的に床に固定する脚の床固定装置であって、前記床固定装置が、前記一対の脚における夫々のアジャスタに被さる断面が略逆凹状をなし且つ前記アジャスタと脚を結合しているアジャスタ軸を挿入できる切欠状の軸挿入部が前記逆凹状の上面に形成されたアジャスタ押え部と、前記一対の脚の距離に見合う長さを有し両端部に前記アジャスタ押え部を一体に備えて床に固定される床固定ベースと、前記アジャスタ押え部を含む床固定ベースに被せて固定される部材であって断面が略逆凹状なし且つ前記軸挿入部と交差する向きの軸挿入用の切欠部を備える前記アジャスタ軸を拘束する軸拘束部材と、を備えていることを特徴とする。
【０００９】
本発明において、前記床固定ベースは、断面が略凹状、略逆凹状、略口状、または板状等のいずれであってもよく、形状は特に限定されるものではない。断面が略凹状、略逆凹状、又は略口状であれば、長さ方向での圧縮、引張のいずれの外力に対しても大きな耐力を発揮する。なお、断面が略凹状の場合には、後述するように床へのアンカーボルトの固定が簡単にできる。
【００１０】
本発明においては、前記アジャスタ押え部の切欠状の軸挿入部と、該アジャスタ押え部に被せた軸拘束部材の軸挿入用の切欠とによって、前記アジャスタ軸を包囲して拘束する。これによりアジャスタ位置が固定され、床固定装置からアジャスタと一体の脚の下端部が逸脱することはない。
【００１１】
また、前記アジャスタ押え部の上面壁と立壁、および前記アジャスタ押え部に被せた軸拘束部材の上面壁と立壁は、2重壁になって下面側が開放された下向き箱状を形成している。
【００１２】
本発明において、一対のアジャスタ押え部に夫々に被せられる２つの軸拘束部材は、その２つでアジャスタ押え部を含む床固定ベースの全長に被さる長さのものであってよい。また、前記２つの軸拘束部材は、その合計長さが両端のアジャスタ押え部を含む床固定ベースの全長より短く形成されたものを用い、その中間に、断面絡逆凹状の中間部材を介在させるようにしてもよい。
【００１３】
本発明床固定装置を適用する家具の例としては、実験台、又は作業台があり、また前記実験台又は作業台は、夫々が駆動力によって伸縮する４本の脚を備えたものであってもよい。
なお、本発明は、アジャスタを備えない脚下端部に適用することも可能である。この場合の脚下端部は、図示しないが、脚の下端部がその脚下端とそれより上方部位の境界が小径の首部を介して形成されており、前記首部より下方がアジャスタに相当し前記首部がアジャスタ軸に相当するものとして、前記のアジャスタ押え部、床固定ベース、軸拘束部材を適用すればよい。
【発明の効果】
【００１４】
本発明では、下部にアジャスタを備える４本の柱状の脚を有する家具における前後又は左右で一対をなす脚を、アジャスタ抑え部と床固定ベースとアジャスタ軸の拘束部材を備えて床固定装置を構成したので、この床固定装置によって一対の脚を一体的に床に固定することができ、よって前記脚に地震の全水平方向の揺れによる大きな外力が作用しても、前記一対の脚の下端部間の距離が変動することはない。また、前記床固定装置は、外面に構成部材による突起物がないから歩行の邪魔にならず、見映えを損なうこともない。
【図面の簡単な説明】
【００１５】
【図１】本発明床固定装置において両端にアジャスタ押え部を備えた床固定ベースの一部を断面にした概略を示す正面図。
【図２】図１のA-A矢視断面図。
【図３】図１の床固定ベースの平面図。
【図４】本発明床固定装置のアジャスタ軸に対する軸拘束部材の平面図。
【図５】図４の軸拘束部材の正面図。
【図６】本発明床固定装置における中間部材の平面図。
【図７】図６の中間部材の正面図。
【図８】本発明床固定装置を適用する脚の下端部を拡大した正面図。
【図９】一対の脚下端部のアジャスタにアジャスタ押え部を両端に備える床固定ベースを装着する前の斜視図。
【図１０】一対の脚下端部のアジャスタにアジャスタ押え部を被せる態様で装着した床固定ベースに、２つの軸拘束部材を被せる態様で架装している状態の斜視図。
【図１１】図１０の２つの軸拘束部材の夫々の軸挿入用の切欠に一対の脚のアジャスタ軸をそれぞれに挿入して当該２つの軸拘束部材を床固定ベースに架装した状態の斜視図。
【図１２】図１１の２つの軸拘束部材の対向面間に形成される床固定ベース上のすき間に、中間部材を架装した状態の斜視図。
【図１３】図１２の床固定ベースに架装された左右の軸拘束部材と中間部材を、それぞれの立壁において、床固定ベースの立壁にビス止め固定し、床固定ベースと軸拘束部材と中間部材を一体化した本発明床固定装置の斜視図。
【図１４】床固定ベースが備えるアジャスタ押え部の断面略逆凹状の内部に収まったアジャスタの状態を説明するための断面図。
【図１５】図１４のＢ-Ｂ矢視断面図。
【発明を実施するための形態】
【００１６】
次に、図を参照して本発明床固定装置の実施の形態例について説明する。
図１〜図７、並びに、図９〜図１３において、１は、長さ方向の両端部に対称形態のアジャスタ押え部２，３を一体に備えた床固定ベースである。図示した床固定ベース１は、断面略凹状の鋼材で形成されており底壁１ａと前後の立壁１ｂ、１ｃによって断面略凹状に形成されている。
【００１７】
前記の底壁１ａには、床に立設するアンカーボルト用の２つのボルト穴１ｄが形成され、前後の立壁１ｂ、１ｃの長さ方向の中間部と両端近傍には、後述する軸拘束部材４と中間部材５をビス止め固定するためのビス穴１e、１ｆが設けられている。
【００１８】
床固定ベース１の両端に位置しこの床固定ベース１と一体化されているアジャスタ押え部２，３は、対称形態の同じ構造であるから、ここでは一方のアジャスタ押え部２について説明する。なお、アジャスタ押え部３の構成は、アジャスタ押え部２の構成に用いた符号の数字２を数字３に置き換えて読むものとする。
【００１９】
アジャスタ押え部２は、上面壁２ａの外周の３辺から下向きに3つの立壁２ｂ、２ｃ、２ｄを備え、断面が略逆凹状で概ね浅底の箱を伏せた形態である。なお、アジャスタ押え部の３つの立壁２ｂ〜２ｄのうち立壁２ｃは、当該アジャスタ押え部２の構成部材で形成するか、或は前記床固定ベース1の立壁１ｃを延ばして形成するかは、任意である。
【００２０】
前記アジャスタ押え部２の上面壁２ａには、前記立壁２ｄと平行な向きに窪んだ平面視略Ｕ状をなす切欠状の軸挿入部２ｆが形成されている（図３参照）。また、前記軸挿入部２ｆは、図８に示す家具の脚Ｌｇの下端に設けたアジャスタＡｊにおける軸Ａｓ（ボルトによる軸で、以下、アジャスタ軸Ａｓという）の軸受座Ｓｂ（アジャスタ軸Ａｓよりも太い）を挿入するため、平面視略Ｕ状の幅が大きく形成されている。なお、切欠状の軸挿入部２ｆに挿入される対象が軸受座Ｓｂより細いアジャスタ軸Ａｓなどの場合には、前記略Ｕ状の幅は、当該細い軸を挿入できる幅であれば足りる。
【００２１】
図８は、本発明床固定装置を適用する家具の脚の一例における脚下端部（アジャスタＡｊを含む）を説明するための正面図で、Ｌｇは断面円形のパイプ状の脚、Ａｊは前記脚Ｌｇの下端に設けたアジャスタで、適宜厚みを有する円盤状本体Ａｄの中心部にアジャスタ軸Ａｓより大きい外径の軸受座Ｓｂが形成され、この軸受座Ｓｂの中心からアジャスタ軸Ａｓとなるボルトが立上げて設けられている。図８に示すように脚Ｌｇの下端面ＬｆとアジャスタＡｊの円盤状本体Ａｄの上面Ａｆの間には、隙間Ｇが形成されている。なお隙間Ｇは、アジャスタ軸Ａｓの回転（円盤状本体Ａｄの回転）によって大きさ（隙間Ｇの上下幅）を自在に変更し、脚のがたつきを調整するためのものである。
前記アジャスタＡｊは、その円盤状本体Ａｄが図１４に示すように、アジャスタ押え部２の上面壁２ａと３つの立壁２ａ〜２ｄが形成する断面略逆凹状の内部に丁度収まっている。即ち、床固定ベース１の両端に備わるアジャスタ押え部２，３は、夫々の上面壁と３つの立壁が形成する断面略逆凹状の内部が、アジャスタＡｊの円盤状本体Ａｄを収容できる大きさに形成されている。
【００２２】
前記上面壁２ａから切欠状の軸挿入部２ｆまでの構成を備えたアジャスタ押え部２、及び当該押え部２と同じ構成を対称的に有するアジャスタ押え部３は、図１〜図３に示すように、当該アジャスタ押え部２の立壁２ｃ，２ｄおよびアジャスタ押え部３の立壁３ｃ，３ｄが床固定ベース１の両端部における底壁１ａ、立壁１ｂ，１ｃに一体化されることにより、床固定部材１と左右のアジャスタ押え部２，３が一体化されている。
【００２３】
図１〜図３を参照して説明した床固定ベース１は、断面が略凹状であったが、本発明では、床固定ベース１の断面形状は、上記以外の略逆凹状、或いは略口状や略板状などであってもよい。但し、略逆凹状の場合には、アンカーボルト立設用の穴を有する部分的な底壁部を設け、また略口状の場合には、上面壁にアンカーボルト操作用の穴を設ける。
【００２４】
両端にアジャスタ押え部２，３を有する床固定ベース１に対しては、図４、図５に示す軸拘束部材４を、アジャスタ押え部２と同３を上から覆う形態で被せて固定し、床固定ベース１と一体化する。
【００２５】
図４、図５の軸拘束部材４は、両端のアジャスタ押え部２と３を含む前記床固定ベース１に外嵌状態で被せられる大きさの断面略逆凹状の鋼板で形成され、上面壁４ａと前後の立壁４ｂ、４ｃを備えている。
【００２６】
前記上面壁４ａには、外側端から壁４ａの内部に向う平面視略Ｕ状の切欠が、立壁４ｂ、４ｃに沿う向きで設けられ、軸挿入用の切欠４ｄを形成している。なお、軸挿入用の切欠４ｄの向きは、図示した例の逆向きであってもよい。軸挿入用の切欠４ｄは、前記アジャスタ軸Ａｓを挿入できる幅であり、前述の切欠状の軸挿入部２ｄより狭幅である。前記立壁４ｂ、４ｃの中間部位には、床固定ベース１の立壁１ｂ、１ｃに設けたビス穴１ｅ、１ｆと対応する位置に、ビス穴４ｅ、４ｆが設けられている。
【００２７】
いま、図３の床固定ベース１のアジャスタ押え部２と３の切欠状の軸挿入部２ｆ、３ｆに、それぞれ、アジャスタＡｊの軸受座Ｓｂが挿入嵌合状態にあるとき、２つの軸拘束部材４を、それぞれ、前記アジャスタＡｊのボルト軸Ａｓが軸挿入用の切欠４ｄに挿入されるように、床固定ベース１の上から被せるように配置すると、前記軸挿入用の切欠４ｄは、その切欠方向が前記アジャスタ押え部２，３の軸挿入部２ｆ、３ｆと交差する向きで床固定ベース１の上に配置される。これによってアジャスタＡｊのアジャスタ軸Ａｓは，前記アジャスタ押え部２，３の軸挿入部２ｆ、３ｆと軸拘束部材４の切欠４ｄによって、その位置から抜け出せないように拘束されることになる（図１５参照）。
【００２８】
上記軸拘束部材４は、図示した例では、その長さが一例として床固定ベース１の左右端部にあるアジャスタ押え部２，３を含む床固定ベース１の全長の１／３弱程度の長さにしか形成されていない。勿論、軸拘束部材４の長さはこれに限定されるものではなく、適宜設定できるものである。これにより、アジャスタＡｊのボルト軸Ａｓが短い場合、すなわち脚Ｌｇの下端面ＬｆとアジャスタＡｊの円盤状本体Ａｄの上面Ａｆとの間の隙間Ｇが少ない場合でも、後述するように軸拘束部材４を、当該床固定ベース１の上に載せて床固定ベース１の外端に向けてスライドさせることで、簡単に切欠４ｄの部位を隙間Ｇの間に挿入することができる。
このように、床固定ベース１の両端部に被せられた２つの軸拘束部材４，４の間の床固定ベース１の上にはすき間が生じる。そこで、本実施形態においては、図６、図７に示す中間部材５を前記すき間に装着し、床固定ベース１の上面の全域を被覆してしまうようにした。
【００２９】
図６、図７に例示する中間部材５は、前記軸拘束部材４と同じ材質で略同形態の断面略逆凹状に形成されていて、軸拘束部材４と異なるのは軸挿入用切欠４ｄに当る構成がない点だけである。従って、上面壁５ａ、前後の立壁５ｂ、５ｃ、床固定ベース１のビス穴に対応するビス穴５ｄを備えている。なお、中間部材５の長さは、両端のアジャスタ押え部２，３を含む床固定ベース１の全長と２つの軸拘束部材４の合計長との差によって決まる。図示していないが、２つの軸拘束部材４の合計長がアジャスタ部材２，３を含む床固定ベース１の全長と同等の場合には、中間部材５は不要である。
【００３０】
本発明では、一対の脚Ｌｇにおける夫々のアジャスタＡｊを、円盤状本体Ａｄにおいてアジャスタ押え部２，３の内部に収めると同時に、軸受座Ｓｂを軸挿入部２ｆ、３ｆに挿入した状態で床固定ベース１に支持させるとき、その床固定ベース１をボルト穴１ｄからのアンカーボルトで床に固定し、このようにして床に固定した床固定ベース１に軸拘束部材４と中間部材５を被せて床固定ベース１を全面的にカバーし、カバーした前記両部材４，５を、そのビス穴４ｅ、４ｆから床固定ベース１のビス穴１ｅ、１ｆに固定ビスＢをねじ込むことにより、床固定ベース１と一体化する。これにより床固定ベース１がアンカーボルトによって床に固定された床固定装置によって一対の脚を床に強固に固定することができるから、水平方向の外力の作用があっても両脚下端部間の距離の変動を防止することができる。
【００３１】
家具の前後又は左右の一対の脚を一体的に床に固定する本発明床固定装置は、一例として、上述した床固定ベース１から中間部材５までの構成部材を備えて形成されるので、この床固定装置の装着態様の例を、図９〜図１５を参照して説明する。
【００３２】
図９は、所定の設置位置に位置決めした家具（例えば実験台）の一対の脚Ｌｇ，Ｌｇ（図では左右に表われているが実際には前後の脚Ｌｇ）に、本発明床固定装置を装着するため、両端にアジャスタ押え部２，３を備えた床固定ベース１を、前記一対の脚Ｌｇ，ＬｇのアジャスタＡｊ，Ａｊに対して軸挿入部２ｆ、３ｆを対応させて配置した状態の斜視図である。
【００３３】
前記アジャスタＡｊは、作業台等の家具を設置するとき各脚ＬｇのアジャスタＡｊの円盤状本体Ａｄを回転してその家具の水平レベル出しを行う。このとき前記円盤状本体Ａｄの上面Ａｆと脚Ｌｇの下端面Ｌｆとの間にある隙間Ｇ（図８参照）は、この隙間Ｇにアジャスタ押え部２又は３の上面壁２ａ又は３ａと軸拘束部材４の上面壁４ａを重ねて入れることができる上下幅の隙間Ｇに整えておく。この状態で前記床固定ベース１をアジャスタＡｊ，Ａｊの側に押し込むと、アジャスタ軸Ａｓの下端に位置する軸受座Ｓｂが前記軸挿入部２ｆ、３ｆに挿入される。
【００３４】
上記のようにして前記床固定ベース１が、その両端のアジャスタ押え部２，３の内部（逆凹状部）にアジャスタＡｊの円盤状本体Ａｄを収め終わったら、この床固定ベース１の底壁１ａに設けた２つのボルト穴１ｄ，１ｄから床にアンカーボルト（図示せず）を打込み、床固定べース１を床に位置決めし固定する。次いで前記床固定ベース１に対して２つの軸拘束部材４を、当該床固定ベース１の上に載せ（図１０参照）、それぞれに床固定ベース１の外端に向けてスライドさせ、夫々の切欠４ｄの部位を前記脚ＬｇのアジャスタＡｊにおける前記隙間Ｇの間に挿入する（図１１、図１５参照）。このように、アンカーボルトは、軸拘束部材４によりカバーされるため、アンカーボルトが露出していて靴のつま先を傷つけることもなく、外観上もすっきりとして美しくなる。
【００３５】
２つの軸拘束部材４の上記操作によって、この軸拘束部材４に設けられている軸挿入用の切欠４ｄの中にアジャスタ軸Ａｓが入り込む。これによりアジャスタ軸Ａｓは，アジャスタ押え部２，３の軸挿入部２ｆ、３ｆと該軸挿入部２ｆ、３ｆに直交した向きの前記軸拘束部材４の切欠４ｄの作用によって、位置が固定されると共にアジャスタ押え部２、３から脱抜することはできなくなる（図15参照）。
【００３６】
２つの軸拘束部材４が床固定ベース１の上で図１１の配置状態になると、床固定ベース１の上で２つの軸拘束部材４，４の間に隙間が残る。そこでこの実施形態では、当該隙間を中間部材５で埋めるように、中間部材５を床固定ベース１に被せるように載せる（図１２参照）。
【００３７】
床固定ベース１の上に２つの軸拘束部材４と中間部材５が図１２に示すように整然とマウントされた状態になったら、各部材１，４，５の立壁１ｂ、１ｃ、同４ｂ、４ｃ、同５ｂ、５ｃに、位置を対応させて設けた各ビス穴１ｅ、１ｆ、同４ｅ、４ｆ、同５ｄ、５ｅに夫々に固定ビスＢをねじ込んで締結することにより、前記床固定ベース１と２つの軸拘束部材４と中間部材５の４部材が、アジャスタＡｊを前記軸挿入部２ｆ、３ｆと切欠部４ｄにおいて結合した状態で結合一体化される。（図１３参照）。
以上により、本発明床固定装置は、一対の脚を床に強固に固定することができるのである。
【００３８】
また、本発明床固定装置は、特に上下昇降する電動式実験台又は作業台の、夫々が駆動力によって伸縮する４本の脚の床固定装置として極めて有効である。電動式実験台等の脚に使用されている昇降用アクチュエーターは、地震等の振動により側方負荷が掛かることで、大きな悪影響が及ぼされる。このため、特に脚を強固に保持する必要があり、４本脚のうち左右の前後２本に対し、同時に横方向から差し込み前後方向の動きを規制保持するアジャスタ押え部２，３を備えた床固定ベース１と、床固定ベース１に被せて左右方向を規制保持する軸拘束部材４で構成される本発明固定装置は、脚を前後左右ともしっかりと保持できる。
【００３９】
以上の説明は、下端にアジャスタを備えた脚の床固定装置についての例であるが、本発明はアジャスタを備えない脚下端部に適用することも可能である。アジャスタを備えない脚下端部は、図示しないが、脚の下端部が、その脚下端とそれより上方部位の境界が小径の首部を介して形成されており、前記首部より下方がアジャスタに相当し前記首部がアジャスタ軸に相当するものとして、前記のアジャスタ押え部、床固定ベース、軸拘束部材を適用すればよい。また、本発明床固定装置が適用できる家具は、上記した実験台や作業台に限られず下部に脚を有する家具、例えば箱状家具等にも適用することができる。
【００４０】
本発明は以上の通りであって、家具の一対の脚における夫々のアジャスタに被さる断面が略逆凹状をなし且つ前記アジャスタと脚を結合しているアジャスタ軸を挿入できる切欠状の軸挿入部が前記逆凹状の上面に形成されたアジャスタ押え部と、前記一対の脚の距離に見合う長さを有し両端部に前記アジャスタ押え部を一体に備えて床に固定される床固定ベースと、前記アジャスタ押え部を含む床固定ベースに被せて固定される部材であって断面が略逆凹状なし且つ前記切欠状の軸挿入部と交差する向きの軸挿入用の切欠を備える前記アジャスタ軸の拘束部材とによって床固定装置を形成したから、家具の一対の脚を一体的に床に強固に固定する装置として有用であり、またこの床固定装置の外面には突起部が無いから見映えに優れるのみならず、歩行時に前記床固定装置に足が引っ掛るようなこともない。
【符号の説明】
【００４１】
１  床固定ベース
２、３  アジャスタ押え部
４  軸拘束部材
５  中間部材
Ｌｇ  脚
Ａｊ  アジャスタ
【図１】
2019122716.tif 000003
【図２】
2019122716.tif 000004
【図３】
2019122716.tif 000005
【図４】
2019122716.tif 000006
【図５】
2019122716.tif 000007
【図６】
2019122716.tif 000008
【図７】
2019122716.tif 000009
【図８】
2019122716.tif 000010
【図９】
2019122716.tif 000011
【図１０】
2019122716.tif 000012
【図１１】
2019122716.tif 000013
【図１２】
2019122716.tif 000014
【図１３】
2019122716.tif 000015
【図１４】
2019122716.tif 000016
【図１５】
2019122716.tif 000017